(57)【要約】エピタキシャル層の有機金属化学気相成長を実行するＭＯＣＶＤ反応器のような、ＣＶＤ反応器が提供される。ＣＶＤ、又はＭＯＣＶＤ反応器は、一般的に、フローフランジアセンブリ、調節可能均整フローインジェクタアセンブリ、チャンバアセンブリ、及びマルチセグメント中心回転軸を含む。反応器は、堆積物の性能を改善する一方で、ガスの使用を低減させる働きをする新しい構造を特定の構成要素に提供する。
2011500961.tif 000002
【特許請求の範囲】
【請求項１】
フローフランジアセンブリを含む化学気相成長反応器であって、前記フローフランジアセンブリは、メインフランジ本体と、前記メインフランジ本体に接続した拡大円錐形状の上部フローガイドと、を有する、化学気相成長反応器。
【請求項２】
前記上部フローガイドと前記メインフランジ本体との間に配置された流体間隙をさらに有する、請求項１に記載の化学気相成長反応器。
【請求項３】
前記流体間隙の底部／外側部で前記流体間隙に流体接続する第１の流路と、前記流体間隙の上部／内側部で前記流体間隙に流体接続する第２の流路と、をさらに有し、流体が、一方の前記流路からもう一方の前記流路へ流れ、その結果、前記上部フローガイドの外面の温度制御する、請求項２に記載の化学気相成長反応器。
【請求項４】
前記流体が、前記フローガイドの空洞内をガスが流れる方向と反対方向に、前記流体間隙を通って流れる、請求項３に記載の化学気相成長反応器。
【請求項５】
前記フローフランジアセンブリの最上部に接続したフローインジェクタと、前記フローフランジアセンブリの底部に接続したウエハ・キャリアと、をさらに有し、前記拡大円錐形状の上部フローガイドが、前記フローインジェクタの直径と略等しい上部直径と、前記ウエハ・キャリアの直径と略等しい下部直径と、を有し、前記上部直径は、前記下部直径より小さい、請求項１に記載の化学気相成長反応器。
【請求項６】
前記フローインジェクタは、調節可能均整フローインジェクタであり、前記フローフランジアセンブリの接続開口部に接続し、前記調節可能均整フローインジェクタは、一つ又は複数の供給管と、当該供給管からの導入流れを受ける一つ又は複数のガスチャンバと、当該ガスチャンバの下の流体空洞と、前記ガスチャンバから出て前記流体空洞を貫通する一つ又は複数の排出管と、を有する、請求項５に記載の化学気相成長反応器。
【請求項７】
前記フローインジェクタは、一つ又は複数のガスの流れを排出前に分けたまま維持するための手段を有し、前記アセンブリは、前記ガスが前記アセンブリを出る際に前記ガスの温度を調節するための手段を有する、請求項５に記載の化学気相成長反応器。
【請求項８】
前記フローフランジアセンブリに接続したチャンバアセンブリをさらに有し、前記チャンバアセンブリは、円錐形状の下部フローガイドを有する、請求項１に記載の化学気相成長反応器。
【請求項９】
調節可能均整フローインジェクタアセンブリと、前記調節可能均整フローインジェクタアセンブリに接続したメインフローフランジと、を有し、前記調節可能均整フローインジェクタは、ガスの流れを供給するための一つ又は複数の供給管と、前記供給管に接続した複数のガスチャンバと、前記複数のガスチャンバの下の流体空洞と、前記ガスチャンバから出て前記流体空洞を貫通する複数の排出管と、を有する、化学気相成長反応器。
【請求項１０】
前記調節可能均整フローインジェクタアセンブリは、前記調節可能均整フローインジェクタアセンブリを前記メインフローフランジに接続させる支持フランジをさらに有し、前記複数のガスチャンバの各々は、分離されたガス流れを受け、前記ガスチャンバは、前記ガス流れを他の前記ガス流れから分ける垂直壁を有する、請求項９に記載の化学気相成長反応器。
【請求項１１】
複数の前記ガスチャンバは、前記排出管に接続した一つ又は複数のガス排出口をさらに有し、前記排出口は、前記供給管より小さい直径を有する、請求項９に記載の化学気相成長反応器。
【請求項１２】
複数の前記ガスチャンバは、同一平面内にある複数の上壁及び下壁を有し、前記上壁及び前記下壁は、垂直方向に分離され、略平行である、請求項９に記載の化学気相成長反応器。
【請求項１３】
一つ又は複数の前記ガスチャンバは、前記上壁と前記下壁との間に、中間拡散バッフル板をさらに有する、請求項１２に記載の化学気相成長反応器。
【請求項１４】
前記流体空洞は、流体空洞排出管に接続した前記流体空洞の略中央に配置された流体空洞排出口と、流体空洞導入管に接続した流体空洞導入口と、を有する、請求項９に記載の化学気相成長反応器。
【請求項１５】
フローフランジアセンブリと、前記フローフランジアセンブリに接続したフローインジェクタと、前記フローフランジアセンブリに接続したチャンバアセンブリと、を有し、前記チャンバアセンブリは、ウエハ・キャリアを囲む円錐形状の下部フローガイドを有し、前記下部フローガイドの内径は、前記ウエハ・キャリアの外径と略等しい、又は大きい、化学気相成長反応器。
【請求項１６】
前記下部フローガイドは、部分的又は全体的に、ウエハを支持する前記ウエハ・キャリアの表面の直径から伸びる、前記ウエハ・キャリアの延長である、請求項１５に記載の化学気相成長反応器。
【請求項１７】
前記フローフランジアセンブリは、上部フローガイドを有し、前記ウエハ・キャリアの外径は、前記上部フローガイドの下部直径と略等しい、請求項１６に記載の化学気相成長反応器。
【請求項１８】
前記ウエハ・キャリアと前記上部フローガイドとの間の間隙は、約１インチ以下である、請求項１７に記載の化学気相成長反応器。
【請求項１９】
前記チャンバアセンブリは、前記ウエハ・キャリアと前記下部フローガイドとの間に円錐形状の反射部を有する、請求項１５に記載の化学気相成長反応器。
【請求項２０】
ウエハ・キャリアと、上部軸セグメント及び下部軸セグメントを有するマルチセグメント中心回転軸と、を有し、前記上部軸セグメントは、前記ウエハ・キャリアに接続し、一つのセグメントが、残りの軸セグメントより著しく低い熱伝導率を有する、化学気相成長反応器。
【請求項２１】
放射熱源をさらに有し、前記上部セグメントは、低い熱伝導率の材料から形成され、前記マルチセグメント軸の一つ又は複数の残りのセグメントは、前記上部セグメントより高い熱伝導率を有する材料から形成される、請求項２０に記載の化学気相成長反応器。
【請求項２２】
前記セグメントの間の接続部は、前記セグメントの間の表面接触を減らすための機械加工された凹部を有する、請求項１９に記載の化学気相成長反応器。
【請求項２３】
前記上部セグメントは、高熱伝導率の材料から形成され、前記マルチセグメント軸の一つ又は複数の残りのセグメントは、低熱伝導率を有する材料から形成される、請求項２０に記載の化学気相成長反応器。
【請求項２４】
前記上部セグメントは、黒鉛を含む、請求項２２に記載の化学気相成長反応器。
【請求項２５】
ガス流れを提供するための一つ又は複数の供給管と、前記供給管に接続した複数のガスチャンバと、前記ガスチャンバから出る複数の排出管と、を有し、全ての前記排出管の全断面積は、所定の前記ガスチャンバへの供給管の断面積より２から６倍大きい、化学気相成長反応器のためのフローインジェクタ。
【請求項２６】
前記ガスチャンバは、複数のガス排出口サブアセンブリを受けるように構成されたガスチャンバ機械加工部を有する、請求項２５に記載のフローインジェクタ。
【請求項２７】
複数の前記ガスチャンバの下に流体空洞をさらに有する、請求項２５に記載のフローインジェクタ。
【発明の詳細な説明】
【技術分野】
【０００１】
関連出願の相互参照
本願は、２００７年１０月１１日に出願された米国仮出願第６０／９７９１８１号の利益を主張し、その全体は参照によって本願に組み込まれる。
【０００２】
技術分野
本発明は、有機金属化学気相成長（“ＭＯＣＶＤ”）反応器を含む、化学気相成長（“ＣＶＤ”）反応器に関する。
【背景技術】
【０００３】
背景
化学気相成長（“ＣＶＤ”）反応器、及び、特に有機金属化学気相成長（“ＭＯＣＶＤ”）反応器は、ウエハ上に固体材料層を堆積するために用いられる。このような材料は、一般的に、周期表のＩＩＩ族元素及びＶ族元素の化合物を含む（ＩＩＩ−Ｖ族系化合物と称され、ＩＩ−ＶＩ族系化合物も同様に含む。）。シリコン（Ｓｉ）、炭化ケイ素（ＳｉＣ）、酸化亜鉛（ＺｎＯ）等のような材料も、これらの反応器を用いて、ウエハ上又は他の表面に堆積される。商業的には、これらの反応器は、固体（半導体）マイクロ電子デバイス、光学装置、光起電（太陽）装置、及び他の電子／光電材料及びデバイスの製造で用いられる。
【０００４】
運転中、一般的に、平たい円筒形状のウエハ・キャリアは、一つ又は複数のウエハをウエハ・キャリアの上面で浅いくぼみに装着した状態で、（一般的に）下面の下に配置されたヒータアセンブリによって、必要な温度（４５０−１４００℃）まで、加熱される。
【０００５】
連続的に供給される気体混合物は、加熱されたウエハ・キャリアの表面上及びウエハ上を流れるように方向づけられる。気体混合物は、主に（約７５−９５％）、反応器内の全体的な流れのパターンを決め、反応ガスを適切に薄める働きをする適切な不活性ガス（一般的には、水素又は窒素）である、キャリアガスである。気体混合物の残りは、Ｖ族反応ガス（約４−２３％）、ＩＩＩ族反応蒸気（約１−２％）、及びドーパントガス又は蒸気（微量レベル）で構成される。
【０００６】
Ｖ族ガスは、加熱されたウエハ・キャリア及びウエハの表面上及びその上で分解し、中心Ｖ族元素の原子を、（ウエハ及びウエハ・キャリア表面上に）堆積した物質層に組み込む。ＩＩＩ族ガスも同様に分解し、ＩＩＩ族元素の原子を提供する。ドーパントガスも同様に分解し、半導体材料の電気伝導特性を変える働きをする原子を提供する。
【０００７】
ウエハ・キャリア及びウエハの表面上を半径方向外向きに流れた後、気体混合物（このとき反応副産物を含む）は、一つ又は複数の排出口を通って反応器から出る。特に大部分の物質が最適には大気圧より低い圧力で堆積するので、真空ポンプが反応器から気体混合物を排出するために一般的に使用される。加熱されたウエハ・キャリア上を通過した後、気体混合物は急速に冷やされ、その結果、副産物が急速に凝縮し、固体状態になる。これらは、（ウエハ・キャリアの下の）反応器チャンバの内面及び排出管を覆い易い。
【０００８】
流れる気体混合物を均一に分配し、また大量輸送境界層の厚みを減少させるのを助けて、副産物の除去とともに反応物質の利用効率を高めるため、ウエハ・キャリアは一般的に１００から１０００ｒｐｍで回転される。
【０００９】
物質は、バッチ処理でこのような方法を使用して堆積される。反応物質は、バッチの実行の間、連続的に供給されない。典型的なバッチの実行は、以下のように行われる。実行の最初の段階の間では、キャリアガスだけが、低流量で供給される。そして、一体となって、ウエハ・キャリアの回転数が徐々に増加して目標値に達し、ウエハ・キャリアの温度が上昇して目標値に達し、キャリアガスの流量が増加して目標値に達する。Ｖ族の反応ガスは、一般的に、切り替えられて反応器内に導入され、最初に（特定の温度レベルで）基板ウエハの表面を安定させ（Ｖ族原子の脱離を抑制する）、そして、物質層の‘‘成長’’を生じさせるために（少なくとも一つのＶ族源及び少なくとも一つのＩＩＩ族源が切り替えられて反応器に導入されたとき、物質の成長が生じるだけである。）、ＩＩＩ族及びドーパントガスが切り替えられて導入される。ＩＩＩ族又はドーパントガスが反応器内に供給されない短時間の中断が生じてもよいが、成長ステージ全体の間（温度がおよそ３５０−４００℃より高い間）、一般的に、少なくとも一つのＶ族ガスは供給される。
【００１０】
一旦、全ての物質層が成長すると、温度は徐々に下げられる。一旦、温度がおよそ３５０℃より下がると、Ｖ族の反応ガスは供給停止され、回転、温度、及びキャリアガスの流量は開始レベルに下げられる。そして、反応器チャンバの最上部を開ける、又は機械的手段によって反応器チャンバの外にウエハ・キャリア全体を移動することによって、ウエハはウエハ・キャリアから外される。露出した上部表面に過剰に堆積した物質を除去すべき前、堆積される物質に依存して、ウエハ・キャリアは、複数のバッチ処理の実行、又はただ一つの処理の実行のために使用できる。
【００１１】
現在、市場で用いられている多数の既知のＭＯＣＶＤ反応器システムがある。これら既知のＭＯＣＶＤ反応器の各々は、欠点及びデメリットを抱えている。
【００１２】
一のデザインは、蓋部分全体にわたって流れを均一に広げようとするガス流導入上蓋を備える長い円筒形容器を用いている。限られた範囲で、垂直分離は、ガス流が通過して入る内部の蓋表面への副産物質の堆積を防ぐ。しかし、その蓋のデザインは、先行反応及び副産物質の堆積をもたらす、蓋における多数のガス拡散‘‘ゾーン’’の効果の薄い隔離、内部の蓋表面上への付加的な物質の堆積と同様、最適でない材料特性をもたらす、供給ガス管からの大きなゾーンエリアでの効果の薄いガス流の拡散、及び、大きなチャンバ容積を通った蓋からの比較的均一な排出流れを生じさせるのに必要なガスの高い流量を、含む、デメリットを有する。
【００１３】
第２のデザインは、（加熱された）堆積物の表面に近接して離隔したガス流導入上蓋を備える短い円筒形容器を用いている。近接して離隔することは、反応器の容積を低減し、堆積物の表面へガスを効果的に接触させるのに効果的であり、ガスチャンバの隔離は有効である。しかし、近接して離隔することは、内部の蓋表面上に副産物質の堆積をもたらし、ほぼ各プロセスの実行の後にクリーニングを要し、より大きなメンテナンス時間及びコストが必要となり、また生産時間を減少させる。大きなメンテナンスコストに加えて、蓋の複雑さ及び広い面積に起因して、上蓋を製造するコストが非常に高い。
【００１４】
２つのデザインは両者とも使用するのに費用が高い。第一のデザインは、操業コストが非常に高く、より低い品質と性能の製品を生産する。第二のデザインは、比較的低い操業コストを有するが、システムメンテナンスの必要性が高い。
より低い生産価格及び操業コストを有するＣＶＤ反応器システムが望ましい。改善された堆積物質の特性、高い動作可能時間、及び高品質を備えるＣＶＣ反応器システムが望ましい。
【００１５】
概要
エピタキシャル層の有機金属化学気相成長を実行するＭＯＣＶＤ反応器のようなＣＶＤ反応器が提供される。ＣＶＤ、又はＭＯＣＶＤ反応器は、概して、一つ又は複数のフローフランジアセンブリ、調節可能均整フローインジェクタアセンブリ、チャンバアセンブリ、及びマルチセグメント中心回転軸を含む。
【００１６】
ＣＶＤ反応器は、堆積物の性能を改善する一方で、ガスの使用を低減させる働きをする新しい構造を特定の構成要素に提供する。一形態において、新しい構造を備えた多数のＣＶＤ反応器の構成要素が説明される。他の形態において、従来のＣＶＤ反応器の問題に対処する新しい構成要素が説明される。例えば、チャンバの上部及び側壁は、従来の構成要素とは著しく異なる構造を有する。その上部及び側壁は、フレア状又は湾曲した円錐状の表面を形成している。反応器の出口領域も、テーパ状、又は傾斜した表面を含む改良された構造を有する。新しいガスインジェクタが、本発明の一の実施形態に含まれ、性能及び経済性をさらに向上させる。
【００１７】
本発明に関するデザインは、多数の利点を提供する。そのＣＶＤ反応器は、反応器の容積を低減し、流入するガスの流れを案内して堆積物の表面に密に接触させる流れ案内面を提供し、付加的な流れ案内面を提供して使用済みの反応ガスのメイン反応容積部への逆流を防止し、重要な内部の反応器表面の高い均一性を有する流体冷却又は温度制御を提供し、堆積物の表面からの熱損失を低減する手段を提供する。
【００１８】
反応器のデザインは、次に挙げるものに限定されないが、（１）高い／非効率なガス及び化学物質の利用、（２）導入ガス流れの不均一な分配、（３）機器の高い製造コスト、（４）問題を含む副産物質の内部の反応器表面上への堆積という、現状のデザインにともなう多くの問題に対処する。その結果は、低い操業コスト、堆積物層の改善された特性、及び低い機械メンテナンスの必要性のメリットである。
【００１９】
フローフランジアセンブリは、他のデザインの垂直な円筒形状の壁と対照的に、三次元的に傾斜した又はフレア状の円錐形状の上面、及びその表面のすぐ後方の細い流体間隙を含む。そのデザインは、反応器の容積及びガスの使用を低減し、より効率的な化学物質の使用のため、効果的にガスを堆積物の表面に案内し、堆積物の均一性を向上させるために、ほぼ均一な半径方向の速度を提供する。
【００２０】
調節可能均整フローインジェクタは、
堆積物の表面より小さな面積、分離されたフローゾーン、分離壁を備えない一つの調節可能フローゾーン、及び均一な冷却流体流れプロファイルを含む、いくつかの特徴を有する。これらの特徴は、より小さいガス流量、より低い製造コスト、ゾーン間でのクロスリーク防止及び結果として生じる先行反応と副産物質の堆積、並びに、堆積された材料の向上された均一性を提供することによって、
従来技術のインジェクタにおけるいくつかの問題に対処する。
【００２１】
一の実施形態において、調節可能均整フローインジェクタアセンブリは、
一つ又は複数の反応ガスの流れを分けて維持するための一つ又は複数のガスチャンバ、及び反応器チャンバ内へのガスの導入に先立つガス温度の調節のための流体空洞を含む。調節可能均整フローインジェクタアセンブリは、供給管からの一つ又は複数のガス導入流れを受け、これらの流れを均一な排出流速のために広げ／拡散させ、一方、それらが出るまで、ガス流れが分かれた状態を維持し、また、ガスが調節可能均整フローインジェクタアセンブリを出る際にガスの温度を調節する。
一の実施形態では、チャンバアセンブリは、概して、円錐形状又は傾斜した下部フローガイドを含む。下部フローガイドは、
反応ゾーンへのガスの再循環を防止し、より安定した全体の反応器の流れのプロファイルのためにウエハ・キャリアの外縁から排出口への流れの円滑さを向上させ、よりよい温度均一性及び改善された材料特性のためにウエハ・キャリアの外縁における熱損失を低減する。
【００２２】
実施形態のウエハ・キャリアは、
基板ウエハを支持する、高い耐熱性を有する材料によって形成される円筒形状のプレートを反応器容積部内に有し、本発明の実施形態では、ヒータアセンブリから受けた熱をウエハに伝達する。中心回転軸は、概して、ウエハ・キャリアと連結し、ウエハ・キャリアの回転運動を生じさせる。実施形態では、中心回転軸は、ベースプレート重心軸を貫通し、通常、（磁性流体シールタイプのような）回転真空フィードスルーと組み合わさり、反応器内でウエハ・キャリアを支持するとともに回転させる。
【００２３】
特定の実施形態では、反応器は、上部及び底部を有する２つの構成部分からなるウエハ・キャリアを含み、上部は、基板ウエハを保持するための最適な特性を有し、底部は吸熱のための最適な特性を有する。
【００２４】
一の実施形態では、マルチセグメント中心回転軸が提供される。
マルチセグメント軸は、反応器において随意に用いることができる二つ以上のセグメントを有する。マルチセグメント軸の少なくとも一つのセグメントは、低い熱伝導率を有する材料によって形成される。マルチセグメント軸は、高い熱伝達抵抗を有するように設計されたセグメント接続部を有してもよく、ウエハ・キャリアからの熱損失を低減する。マルチセグメント軸は、ウエハ・キャリアの中心付近で付加的な熱を発生させ、ウエハ・キャリア及び／又は軸からの熱損失に対する熱障壁を提供してもよい。
【図面の簡単な説明】
【００２５】
【図１】一の実施形態の反応器チャンバアセンブリ全体の斜視図である。
【図２】一の実施形態の反応器チャンバアセンブリ全体の側面図である。
【図３】一の実施形態の反応器チャンバアセンブリの断面図を示す。
【図４】一の実施形態の反応器チャンバアセンブリの断面図を示す。
【図５】一の実施形態の反応器チャンバアセンブリの断面図を示す。
【図６】一の実施形態のフローフランジアセンブリの斜視図である。
【図７】一の実施形態のフローフランジアセンブリの分解側面図である。
【図８】実施形態のフローフランジアセンブリの分解底面図を示す。
【図９ａ】実施形態の上部フローガイドの３つの側面図を示す。
【図９ｂ】実施形態の上部フローガイドの３つの側面図を示す。
【図９ｃ】実施形態の上部フローガイドの３つの側面図を示す。
【図１０】実施形態の上部フローガイドの拡大断面図を示す。
【図１１】実施形態の調節可能均整フローインジェクタアセンブリの側面図を示す。
【図１２】実施形態の調節可能均整インジェクタアセンブリの分解側面図を示す。
【図１３】実施形態の調節可能均整フローインジェクタアセンブリの断面図を示す。
【図１４】実施形態の調節可能均整フローインジェクタアセンブリの断面図を示す。
【図１５】実施形態の調節可能均整フローインジェクタアセンブリの断面図を示す。
【図１６ａ】実施形態の調節可能均整フローインジェクタのガスチャンバ機械加工部を上から見た内側の図である。
【図１６ｂ】実施形態の調節可能均整フローインジェクタのガスチャンバ機械加工部を上から見た内側の図である。
【図１７ａ】実施形態の調節可能均整フローインジェクタアセンブリの底面図を示す。
【図１７ｂ】実施形態の調節可能均整フローインジェクタアセンブリの底面図を示す。
【図１８】フローフランジアセンブリに対して密閉された調節可能均整フローインジェクタアセンブリの二重Ｏリングシールの拡大断面図を示す。
【図１９】実施形態のチャンバアセンブリの斜視図を示す。
【図２０】実施形態のチャンバアセンブリの上面図を示す。
【図２１ａ】実施形態の中心回転軸アセンブリの２つの分解図を示す。
【図２１ｂ】実施形態の中心回転軸アセンブリの２つの分解図を示す。
【図２２】実施形態の中心回転軸アセンブリの側面図を示す。
【図２３】実施形態の中心回転軸アセンブリの断面図を示す。
【図２４】実施形態の中心回転軸アセンブリの拡大断面図を示す。
【図２５ａ】調節可能均整フローインジェクタアセンブリのサブアセンブリの他の実施形態を示す。
【図２５ｂ】調節可能均整フローインジェクタアセンブリのサブアセンブリの他の実施形態を示す。
【図２５ｃ】調節可能均整フローインジェクタアセンブリのサブアセンブリの他の実施形態を示す。
【発明を実施するための形態】
【００２６】
好ましい実施形態によって本発明は詳しく説明される。しかし、本発明は、これらの実施形態に限定されるものではない。また、ある実施形態において必要なものは、他の実施形態に自由に適用でき、特別な条件が付されなければ、必要とするものは相互に取替え可能である。具体的に、ＣＶＤ反応器、若しくはＭＯＣＶＤ反応器、及び、反応器の構成要素とパーツが、下でさらに詳しく述べられる。ＣＶＤ反応器、又はＭＯＣＶＤ反応器は、ここでは具体的に説明されない他の構成要素及びパーツを含んでもよい。さらに、本発明の範囲は、ここで述べられる構成要素及びパーツのいくつか、又はここで述べられる構成要素及びパーツの全てを含むＣＶＤ反応器又はＭＯＣＶＤ反応器に関することが理解されなければならない。
【００２７】
図１は、一の実施形態の反応器アセンブリ１の全体の正面斜視図を示す。反応器アセンブリ１の全体は、反応器アセンブリ１の全体を一緒に形成する３つのサブアセンブリによって構成される。３つのサブアセンブリは、フローフランジアセンブリ３、調節可能均整フローインジェクタアセンブリ５、及びチャンバアセンブリ１０である。図２は、反応器１の外側から見える各構成要素のうちのいくつかとともに、反応器アセンブリ１の側面を示す。これらの構成要素は、下でより詳しく説明される。
【００２８】
図３−５は、３つのサブアセンブリの相互連結を示して反応器アセンブリ１の全体の断面を明らかにし、３つのサブアセンブリを構成している各構成要素の断面を明らかにしている。例えば図１及び２などで、フローフランジアセンブリ３、調節可能均整フローインジェクタアセンブリ５、及びチャンバアセンブリ７が示されている。３つのサブアセンブリ３、５、７の各構成要素は、また、下でより詳しく示され、また説明される。
【００２９】
図６−１０、及び１８は、一の実施形態のフローフランジアセンブリ３を様々な視点から見たものを示す。フローフランジアセンブリ３は、メインフランジ本体３０を含み、フローインジェクタアセンブリ５のための結合開口部をなす上開口部３１を最上部に有し、チャンバアセンブリ１０に底部で結合する（図３−５の断面図で最も良く表されている）。フローフランジアセンブリ３は、上部フローガイド３２を有しており、上部フローガイド３２は、メインフランジ本体３０内に備えられて、フローインジェクタ及びウエハ・キャリアとともに、反応器容積部３３及び反応器容積部内のガス流れのプロファイルを規定する。
【００３０】
上部フローガイド３２は、好ましくは、（従来技術のデザインの垂直円筒形状の壁と対照的に）三次元的な先細りとなった円錐形状の外接面３４を有する。上部フローガイド３２は、（図７及び８で最も良く表されているように）メインフランジ本体３０内に位置してフィットする。上部フローガイド３２は、（図７及び８で最も良く表されているように）メインフランジ本体３０内に位置してフィットする。メインフランジ本体３０の底面３５は、上部フローガイド３２の内接面３６を受けるように対応した形状を有し、（図８−１０で最も良く表されている）上部フローガイド３２とメインフランジ本体３０との間で、細い流体間隙又は空洞３７が、上部フローガイド３２のすぐ後方に形成される。実施形態では、図９ａ−ｃで表されているように、流体空洞回収路４１、４２（ここでは２箇所）が、フローオリフィス４０を通じて、細い流体間隙３７とつながっている。
【００３１】
上部フローガイド３２の形状は、反応器のチャンバ容量を最小限に抑え、反応器のチャンバ容量部３３内での再循環を抑え、ウエハ・キャリア表面７７と反応ガスとの効果的な接触を提供する。
【００３２】
一の実施形態では、図３−５で最も良く示されるように、上部フローガイド３２は、調節可能均整フローインジェクタ（ＡＰＦＩ）７の直径と略等しい第１の（上部）直径Ｄ１を有し、ウエハ・キャリア７６の直径ｄ３と略等しい第２の（下部）直径Ｄ２を有する。図に示されるように、第１の直径Ｄ１は、第２の直径より小さい。第１の直径Ｄ１は、好ましくは、第２の直径Ｄ２のおよそ０．２から０．５倍である。上部フローガイド３２は、厳密には円錐形状でなく、どちらかといえば、下方へ向かって広がるように湾曲し、フレア状に広がってＤ２に達する。上部フローガイド３２は、ガス流れのパターンを作り出し、そこでは、均一に分配された、下向きに流れるガスの流れが、ウエハ・キャリア７６に向けられるが、ガス流は、また、側方に方向を変えられて広げられ、そのため、より小さな直径のフローインジェクタ５が、反応器のチャンバ容量部３３内でのガスの再循環の発生を抑制して、より大きなウエハ・キャリア７６に均一に流れを分配するために用いられることができる。
【００３３】
湾曲形状又はフレア形状の上部フローガイド３２は、略等しい半径方向のガス速度を提供する。このような形状を有する上部フローガイド３２は、また、拡大円錐形状上部フローガイド３２と称される。理論にとらわれず、径方向外向きに流れるガス流については、ガスは、（円筒形状の半径とともに増加する）連続的に増加する断面積を横切らなければならず、結果的に、流速が低下する。ほぼ一定の速度を維持するため、収容構造の高さＨ１が、次第に小さくされてもよく、そのため、断面積（高さとともに拡大する周囲の産物）が略一定で、半径にともなった周囲の長さの増加を抑制する。
【００３４】
フローフランジアセンブリ３は、好ましくは、（上部フローガイド３２とメインフランジ本体３０との間に）上部フローガイド３２の真後ろに位置する流体間隙３７を有する。本発明の実施形態では、流体間隙３７は、（およそ０．１インチ以下で）比較的細く、その結果、毎分約１ガロンの流体流量及び水の桁数以内の密度及び粘度の値を有する流体で、３２００以下のレイノルズ数となり、流体間隙内における層流を示し、流体の効率的利用となる。このような構造は、流体の使用の低減、及び／又は（タンク／再循環器熱交換システムが採用された場合）流体再循環器の容量の減少をもたらす。
【００３５】
フローフランジアセンブリ３は、さらに、空気除去及び逆流熱交換のため、流体間隙３７を通る下／外から上／内への流れをさらに含んでもよい。つまり、反応器容積部内を流れるガスの方向と逆方向に、流体が流体間隙を通って流れる。流体間隙を通るこのタイプの流路は、一の実施形態では、供給路４１から、任意に一つ又は複数の供給管（不図示）を通じて、実現される。各供給路４１は、各供給路４１の端部に近接した一つ又は複数のフロー抑制オリフィス４０を有する。フロー抑制オリフィス４０は、等しい流量の流体が各供給路を通過するように、流体間隙３７に入る直前で、流れを十分に抑制し、流体間隙３７の外周で均一な流れを形成する。流体は、流体間隙３７を通って径方向内側に流れ、（任意に一つ又は複数の戻り管（不図示）を通る）戻り流路４２に流体を運ぶ第２の組のフロー抑制オリフィス４０を通過する。流体は、供給路導入管４５を通して供給され、流体排出管４６を通して戻される。流体間隙３７内での流体の流れの特性は、反応器のチャンバ容量部３３内における改善された温度均一性をもたらし、それによって、ガスの流れのプロファイルの均一性、及び堆積物の均一性が向上する。流体間隙３７における下／外から上／内への流れのパターンは、逆流熱交換、及び流体間隙３７からの効果的な空気の除去につながる。
【００３６】
上部フローガイド３２の最も外側の直径Ｄ２での（言い換えると、ウエハ・キャリア７６に最も近い上部フローガイドの端での）上部フローガイド３２と、ウエハ・キャリア７６の最も外側の直径ｄ３でのウエハ・キャリアの上面７７との間隙４３は、ウエハ・キャリア７６上での排出ガスの再循環を、抑制又は妨げる。特に図３−５で示されるように、ウエハ・キャリア７６は、中心回転軸７５の先端に設けられている。上部フローガイド３２の外側直径Ｄ２は、上部フローガイド３２がウエハ・キャリア７６に最も近接している、ウエハ・キャリアの外側直径ｄ３と略等しい。ここで、これら２つの部材の間の間隔Ｈ２は最も小さい値となり、間隙４３は、反応器のチャンバ容量部３３内での排出ガスの再循環の抑制又は防止を促す。例えば、間隙は、およそ０．２５インチ以下のように、およそ１．００インチ以下の寸法Ｈ２を有してもよい。調節可能均整フローインジェクタアセンブリ５から下方に流れるガスは、反応器のチャンバ容量部３３内で側方に向きを変え、径方向外側に流れる。ガスが間隙４３に達すると、ガスは最大の流速に達し、一旦間隙４３を通過すると、ガスは広がり始め、間隙４３に近接した排出回収ゾーン４４で減速し、その結果、使用済みの気体混合物（言い換えると、ウエハ・キャリア７６及びウエハ・キャリア７６の上の、反応領域から離れたガス）の逆流再循環が防止される。
【００３７】
本発明の好ましい実施形態では、拡大円錐形状の上部フローガイド３２を備える反応器１は、また、下部フローガイド７２を含む（下でより詳しく述べられる）。下部フローガイド７２は、反応ゾーンへのガスの逆流再循環を防止し、より安定した反応器全体の流れのプロファイルのため、ウエハ・キャリアの外縁から排出口への流れの円滑さを向上させ、より良い温度の均一性及び向上された材料特性のため、ウエハ・キャリア７６の外縁での熱損失を低減する。
【００３８】
本発明の実施形態における調節可能均整フローインジェクタアセンブリ５が、特に図１１−１８及び２５に示される。調節可能均整フローインジェクタは、供給管からの多数のガス導入流れを受け、流出するまで、ガス流れが分けられた状態を保ったまま、均一な排出流速のため、これらの流れを広げる又は拡散させる、フローインジェクタである。任意に、ＡＰＦＩ５は、また、ガスが調節可能均整フローインジェクタから出る際に、ガスの温度を制御する。ＡＰＦＩ５は、概して円筒形状（円形面積及び垂直高さ）で、フローフランジアセンブリ３内にフィットする。円筒形状のＡＰＦＩは図に示されるが、ＡＰＦＩは、いかなる形状でも作製でき、正確な形状は、それが結合される上開口部３１の形状（面積）によって、通常、左右されるであろう。例えば、上開口部３１が、正方形又は長方形形状を有すると、ＡＰＦＩは、対応する正方形又は長方形形状を有し、結合できる。
【００３９】
調節可能均整フローインジェクタアセンブリ５は、概して支持フランジ５１を含み、これは、支持フランジ５１に結合される構成要素、及び支持フランジ５１を貫通するガスチャンバ導入管若しくは開口部５４に、構造的統合性を与える。支持フランジ５１は、さらに、調節可能均整フローインジェクタアセンブリ５のメインフランジ本体３０への取り付けを提供する。
【００４０】
ＡＰＦＩ５は、一つ又は複数のガスチャンバ５２を含む。実施形態では、一つ又は複数のガスチャンバ５０は、機械加工によってガスチャンバ５２にされてもよく、複数のガスチャンバ上壁若しくは上面５７、及びガスチャンバ底壁若しくは底面５８から形成される。ガスチャンバ上壁５７は機械加工されて、上面図の図１６及び１７で示されるように、異なるゾーンを形成する。ガスチャンバ５０は、ガスチャンバ上壁５７からガスチャンバ底壁５８へ伸びてガスチャンバ５０を形成するガスチャンバ垂直壁５９によって、他のガスチャンバ５０と隔てられる。ガスチャンバ上壁５７に組み込まれる一つ又は複数のガス導入口５４は、調節可能均整フローインジェクタ５の一つ又は複数のガスチャンバ５０に、例えば垂直方向に（言い換えると、ガスチャンバの上壁５７及びガスチャンバの底壁５８に対して略直角に）、ガスを運ぶ。
【００４１】
各ガスチャンバ５０は、異なるガス流れを受けてもよく、一つ又は複数のこれらのガスチャンバは、ガスを広げる又は拡散させ、第一のガスの流れを他のガスの流れから分けたままにするか、又は各ガスの流れを他から分けたままにし、特定の排出口の表面積で均一な流速を作り出す。また、各ガスチャンバ５０は、他のガスチャンバ５０と同じ形状又は異なる形状に構成できる。
【００４２】
例えば、（支持フランジ５１が図から除かれた）図１６に示すように、外ガスチャンバ５０ａ、４つの中間ガスチャンバ５０ｂ及び５０ｃ、並びに内ガスチャンバ５０ｄがある。一の実施形態では、ガスチャンバ５０ｂは、ＩＩＩ族の反応物質を受け、中間ガスチャンバ５０ｃは、Ｖ族の反応物質を受ける。チャンバ５０ａ−ｄは、垂直壁５９、ガスチャンバ上壁５７（不図示）、及びガスチャンバ底壁５８によって、仕切られる。
【００４３】
ＡＰＦＩ５は、また、一つ又は複数のガスチャンバ５０の下方に配置される流体空洞６０を含んでもよい。流体空洞６０は、流体空洞機械加工部５３をガスチャンバ機械加工部５２に結合することによって形成できる。図１７は、流体空洞機械加工部５３の底面を示す、調節可能均整フローインジェクタアセンブリ５の実施形態の底面図である。ガスチャンバ排出口６１は、ガスチャンバの底壁５８から、流体空洞６０を通る、例えば導管６３通って、反応器のチャンバ容量部３３に、貫通又は伸びてもよい。導管６３は、同じ若しくは異なる内径、及び同じ若しくは異なる外径を有してもよい。導管６３が空洞６０を通ることは、流体空洞６０を流れる流体の温度を適切に制御することによって、反応器のチャンバ容量部３３へのガスの導入前にガスの温度調節を可能にする。流体空洞６０は、流体空洞排出管６７に接続した流体空洞６０のほぼ中央に位置する流体空洞排出口６６を有する。また、流体空洞導入口６８が提供され、流体空洞導入管６９を通って流体空洞６０の周辺部に向かう。
【００４４】
（下でより詳しく述べる）流体空洞ディフューザ６５を含む一の実施形態では、流体空洞排出口６８は、ディフューザ６５の周辺部の内側に位置し、一方、流体空洞導入口６８は、ディフューザ６５の周辺部の外側に位置する。
【００４５】
調節可能均整フローインジェクタアセンブリ５は、任意に、一つ又は複数の次の特徴を有してもよい。一の実施形態では、ガス排出口６１は、好ましくはガス導入口５４より小さいサイズである（例えば、およそ１００から１００００のガス排出口があってもよい。）。ガス排出口６１の数、並びに空洞６０を通って伸びる導管６３の内径及び長さは、特定のガス組成、流量、温度及び圧力に依存し、ガスチャンバの底壁５８の全表面積、並びに生産能力及びコストによっても制限され、導管６３の外径及び内径が小さくなり、また近接するガス排出口６１の間隔が小さくなるにつれ、難しさとコストが増加する。しかし、概して、全ての導管６３の全断面積は、所定のガスチャンバに対し、好ましくはガス導入口５４の断面積の２〜６倍である。このような構成は、ガス導入口５４と比較し、より大きな壁面積、付随する流体のせん断、及びより小さな直径の導管６３の圧力低下の要因となる。ガスチャンバの導管一式を通過したときの圧力損失（つまり、ガスチャンバから反応器のチャンバ容量部３３までの圧力損失）は、好ましくは数Ｔｏｒｒから数十Ｔｏｒｒである。
【００４６】
ガスチャンバ上壁５７及びガスチャンバ底壁は、好ましくは、略平行である。全てのガスチャンバの上壁／面５７は、実質的に同一平面にあってもよいし、又は異なる平面に位置してもよい。同様に、全てのガスチャンバ５０の底壁５８は、同一平面にあってもよいし、又は異なる平面にあってもよい。
【００４７】
調節可能均整フローインジェクタアセンブリ５は、ガスチャンバ上壁５７及びガスチャンバ底壁５８の間で、これらに略平行に、任意に、一つ又は複数の中間拡散バッフル板５５を有してもよい。中間拡散バッフル板５５が用いられる場合、中間拡散バッフル板５５を含むガスチャンバ５０内に、上ガスチャンバ部５０ａ及び下ガスチャンバ部５０ｂが形成される。例えば、上ガスチャンバ部５０ａは、ガスチャンバ上壁５７、中間拡散バッフル板５５の上面、及び側壁５９によって規定され、また、下ガスチャンバ部５０ｂは、ガスチャンバ下壁５８、中間拡散バッフル板５５の下面、及び側壁５９によって規定される。
【００４８】
流体空洞機械加工部５３に取り付けられ、又はつなぎ合わされて、その結果、反応器のチャンバ容量部３３の境界面である流体空洞機械加工部５３の最も下側に近接した下方流体空洞壁を形成する、（好ましくは小さい径の管である）流体空洞６０を貫通する排出管６３に、各ガスチャンバ５０のガス排出口６１はつながっている。排出管６３は、好ましくは、一体とした一式のガスチャンバ排出口６１のパターンと一致する開口パターンを有する。
【００４９】
調節可能均整フローインジェクタアセンブリ５のさらなる実施形態は、均一な、半径流れプロファイルの流体温度調節ゾーンに関する。温度調節流体、例えば冷却流体は、外側流通経路６２に流れる。本発明の実施形態では、流体空洞６０は、空洞ディフューザ６５を有する。流体空洞ディフューザ６５は、好ましくは、薄い、流体空洞６０の高さより僅かに大きな高さを有する、円筒形シート状金属リングであり、好ましくはできるだけ薄い。好ましい実施形態では、円筒形シート状金属リングは、ガスチャンバ機械加工部５３の底面、及び流体空洞機械加工部５２の上面に設けられた対向する円形の溝、これら２つの溝の深さの合計は、好ましくは、流体空洞の高さを越える流体拡散障壁の付加的な高さに等しい、に挿入され、流体空洞の最外周の複数の導入口６８で流体空洞６０に運ばれる流体は、流動拡散障壁６５に設けられた複数の好ましくは等間隔に離隔した小開口６４を通って流れる前に、速やかに接線方向に移動し、その結果、流体空洞６０の中央排出口６６で、流体空洞６０の最外周からの単独の排出口６６に向かって半径方向内方に、均一な流量分布となる。小開口６４は、フロー抑制オリフィスとして機能し、各小開口６４を通過して均一な流れとなるように、十分に流れを抑制する。
【００５０】
図２５（ａ−ｃ）は、ＡＰＦＩを作製する他の方法を示している。なお、上で説明した全てのＡＰＦＩの構成要素が示されているわけではない。ＡＰＦＩの製造及びテストの両者の容易さ及び効率を向上させるために、ＡＰＦＩの構成要素は、互換性のあるモジュール又はサブアセンブリから組み立てることができる。例えば、ガス排出口サブアセンブリ１５０は、上板１５１、下板１５２、及び複数の管６３から構成することができる。上板１５１は、上で記述されたガスチャンバ５０の底壁５８を構成する。下板１５２は、前に述べられた流体空洞機械加工部５３の底壁５８の一部を構成する。
【００５１】
本実施形態では、ガスチャンバ機械加工部５２は、上板１５１の上表面１５３が前に述べられたガスチャンバ壁５９の一つ又は複数の下表面１５５と同一面に合わさって、複数のガス排出口サブアセンブリ１５０を受けるように構成される。隣接するガス排出口サブアセンブリ１５０の上板１５１の間の継ぎ目は、形成される流体空洞６３とガスチャンバ５０との間のリークを防ぐシール部が形成されるように、ガスチャンバ壁５９の所定の下表面１５５の中心線に沿って落ちている。
【００５２】
図２５（ａ−ｃ）で示される実施形態では、
隣接するガス排出口サブアセンブリ１５０の下板１５２の間、及び所定のガス排出口サブアセンブリ１５０の下板１５２と、ガスチャンバ機械加工部５２と一体の下流体空洞壁１５７との間の継ぎ目は、流体空洞６３と反応器のチャンバ容量部３３との間のリークを防ぐために密閉されてもよい。必須ではないが、一の実施形態では、各ガス排出口サブアセンブリ１５０の下表面１５４が、全ての他のガス排出口サブアセンブリ１５０の下表面１５４、及びガスチャンバ機械加工部の下表面１５６と同一平面になるようにして、それは密閉されてもよい。流体は、従って、複数の流体空洞導入口６８を通って流体空洞６３に入り、一つ又は複数の流体空洞排出口６６を通って出て、流体空洞ディフューザ６５（不図示）が前述と同様に配置される。
【００５３】
本発明のさらなる実施形態は、一つ又は複数の放射パターンに実質的に等間隔で離隔したガス排出口のパターンを作り出す方法に関する。これらの方法に従い、一つ又は複数の丸い穴が、例えば四角形又は六角形等のパターンに、互いに等距離にあるように配置される。調節可能均整フローインジェクタガスチャンバからなる放射ゾーンのため、方法は、穴の分配を含み、それらは、領域境界と同様、実質的に互いに等距離となる。この方法は、概して、第１の半径方向の領域境界に隣接して平行な第１のライン上に、半径方向に等間隔に離隔させて第１の一組の穴を配列する、ステップ（１）と、機械加工部の重心軸における頂点とともに、第１のライン上における重心軸から第１の半径方向距離の第１のポイントと、第２の半径方向の領域境界に隣接して平行な第２のライン上の、対応した第２のポイントとの間で、角度を決定する、ステップ（２）と、ガスチャンバ機械加工部の重心にある原点とともに、第１の半径方向の領域境界に隣接する所定の半径における第１の穴と、第２の対応する半径方向の領域境界に隣接する同じ半径における対応する第２の穴との間で、弧の長さを決定する、ステップ（３）と、望ましい中心間の穴離隔距離によって、この弧の長さを割る、ステップ（４）と、得られた数を四捨五入して最も近い整数にする、ステップ（５）と、を含む。ステップ（２）−（５）は、ステップ（１）に示された配置からなる各穴に対して繰り返される。この方法は、半径方向の複数の組の穴の間で等間隔に離隔した穴パターン、及び、各半径方向の組の穴のうちでほぼ等間隔に離隔した穴を作り出す。この方法は、穴間隔における不規則さが、広い領域でのパターンに比べてより重要となる、小さい領域で、円形又はほぼ円形のパターンの略等距離にある穴の組を作り出すのに特に有効である。
【００５４】
また、反応器は、（図１７に示すように）ゾーン分離障壁を備えることなく調節機能を有するガス分配ゾーンを含む。本実施形態では、反応器は、二つ以上のガス導入管５４、及び、複数の孔６１を通し、幾何学的に、調節可能な排出流れパターンを作り出す働きをする複数の排出口６１を、含む。理論にとらわれず、一つ又は複数の導入管５４への流量を増やす又は減らすことによって、導入管５４のいくつかの間に別々の垂直分離壁５９を設けることなく、排出口を備えられない分離壁の下の領域によって通常作り出されるよどんだ領域を排除できる。
【００５５】
調節可能均整フローインジェクタアセンブリ５は、さらに、クリーニング及び／又はバッフル交換のため、一つ又は複数のＯ−リングによって密閉されたチャンバトップのような、一つ又は複数の密閉されたチャンバトップを含んでもよい。好ましい実施形態では、ガスチャンバ機械加工部５２は、ガスチャンバを分ける垂直壁５９の上表面内に機械加工されたＯリング溝を含む。これは、垂直壁の上表面に沿うＯリングは、支持フランジ５１の下方表面、又は（複数の溶接された表面よりむしろ）単一の他の中間シール面に対して直接密閉できるからである。この形態は、必要なパーツの数を減らすとともに、ガスチャンバが開けられ、清掃又は検査されることを可能とする。
【００５６】
さらなる実施形態では、調節可能均整フローインジェクタアセンブリ７は、図１８に最もよく示されているように、真空バリアゾーンとともに二重Ｏリングシールを含む。二重Ｏリングシールは、ガスチャンバ機械加工部５２及び流体空洞機械加工部５３における、Ｏリング溝９２のＯリング９１によって形成される。第１のＯリング９１ａは、ガスチャンバ機械加工部５２とメインフランジ本体３１との間に位置する。第２の９１ｂは、流体空洞機械加工部５３とメインフランジ本体３０との間に位置する。真空空洞９３が、ＡＰＦＩ、メインフランジ本体３１、及びＯリング９１の間で形成される。特異シール真空ポート管９４が、メインフランジ本体３１に含まれ、真空シールを作り出し、また解放する。この形態は、各シールのどちらかの側よりむしろ、２つのＯリングシールの間の容積部で形成される著しく低い真空レベルに起因する、Ｏリングのエラストマー材料のガス分子の透過を無効にする一方で、調節可能均整フローインジェクタ５の容易な取り外しを可能にする。
【００５７】
実施形態のチャンバアセンブリ７が、図１９−２０、及び図３−５に示されている。チャンバアセンブリ７は、反応器ベースプレート本体７０を有する。反応器ベースプレート本体は、反応器の壁１０１によって、反応器上部フランジ１００につながっている。反応器上部フランジ１００は、フローフランジアセンブリ３のメインフランジ本体３０と接続する。ベースプレート本体７０は、（より詳しく下で述べる）中心回転軸７５、ベースプレート排出管７９（今のところ、図に含まれておらず、混乱が生ずるかもしれないが、後のデザインにおいて、これと同じようなものが使用される。）、大電流フィードスルー９０、及び回転真空フィードスルー８８のような、ＣＶＤ反応器で有用な、多数の構成要素のための開口部を含む。
【００５８】
チャンバアセンブリ７は、ウエハ・キャリア７６を加熱するために熱源及び熱反射遮蔽体を含むヒータアセンブリのような、ＣＶＤ反応器に一般的に備えられる構成要素を有する。示される実施形態では、一つ又は複数の加熱部８３がウエハ・キャリア７６の下に配置され、一つ又は複数の熱遮蔽体８４が加熱部８３の下に配置される。例えば、熱源は、好ましくはウエハ・キャリアの円形領域に合う同心円パターンに設けられた、放射加熱のためのフィラメント、又は誘導加熱のための銅管であってもよい。
【００５９】
チャンバアセンブリ７は、下部フローガイド７２を有する。下部フローガイド７２は、切頭円錐形状を有する。円錐形状の下部フローガイド７４は、内径ｄ１及び外径ｄ２を有する。内径ｄ１は、ウエハ・キャリア７６の外径ｄ３とほぼ同じ、小さく、又は大きくできるが、好ましくは、内径ｄ１は、ウエハ・キャリア７６の外径ｄ３より僅かに大きい。下部フローガイド７２は、ウエハ・キャリア７６の上面７７とほぼ揃うように配置される。下部フローガイド７２の外径ｄ２は、内径ｄ１より大きく、下向きの方向に傾斜した表面を形成する。
【００６０】
好ましい実施形態では、内径ｄ１は、ウエハ・キャリア７６の外径ｄ３より僅かに大きい。下部フローガイド７２の内径ｄ１とウエハ・キャリア７６の外径との間に間隔を空けることによって、ウエハ・キャリア７６と上部フローガイド３２との間の隙間４３から排出されるガスを、徐々に広がらせ、ウエハキャリア７６の外縁の下で、排出されたガスが再循環するのを抑制、又は防ぐ。好ましくは、下部フローガイドの内径ｄ１、及びウエハ・キャリア７６の外径は、近似しており、２つの間の狭い下部フローガイドギャップを提供し、下部フローガイドギャップがより狭くなるほど、より効率的にガスが排出され、反応器のチャンバ容量部３３内でのガスの再循環がより抑制又は防止される。
【００６１】
チャンバアセンブリ７は、下部フローガイド反射部７４を含んでもよい。
下部フローガイド反射部７４は、下部フローガイド７２内に配置され、ウエハ・キャリア７６の周辺から広がり、下向きの方向に傾く。反射部７４は、薄い金属片、好ましくはモリブデンによって構成される。反射部７４は、熱を内方に反射し、下部フローガイド７２の表面で熱を一定に保つのを助けるように作用する。
【００６２】
実施形態では、下部フローガイド７２は、
一つ又は複数の部分、又は２つの構成要素の下部フローガイド７２のような、一つ又は複数の構成要素によって構成されてもよい。下部フローガイド７２とウエハ・キャリア７６との間の近接した間隔、及び、プロセスの間、ウエハ・キャリア７６が達する高温に起因して、別の実施形態では、下部フローガイド７６は、ウエハ・キャリア７６に直接隣接し、優れた温度許容度、及びウエハ・キャリア７６の材料（一般的に、黒鉛、サファイア、又は高融点金属）の熱膨張率にほぼ等しい、又は近似した熱膨張率を有する材料から作られる、第１の構成要素、及びそのような温度許容度、又は熱膨張率を有さない、例えば第１の構成要素を形成する材料より安価でより作り易い材料から作られる第２の構成要素を有する。好ましい実施形態では、第１の構成要素は、黒鉛から形成され、適切な温度許容度、及びウエハ・キャリアの材料との熱膨張率の一致を提供する。
【００６３】
下部フローガイド７２は、部分的又は全体的に、ウエハを支持するウエハ・キャリア７６の表面の直径ｄ３、言い換えると、ウエハを支持するウエハ・キャリアの表面７７の外縁形状、から伸びるウエハ・キャリア７６の延長であってもよい。本実施形態では、下部フローガイド７６の全て又は一部が、好ましくはウエハ・キャリアの上面７７、又は代わりに下面７８の外周、又は、それらの中間にある周囲に沿った点からのウエハ・キャリアの延長である。下部フローガイド７２は、例えば、ウエハ・キャリア外径７６と上部フローガイド７２との間の狭い隙間４０から最初の数センチ内のような、ウエハ・キャリア７６の延長である、第１の構成部と、ウエハ・キャリア７６から完全に分離し、第１の構成部に隣接する分離部として形成された第２の構成部と、を有する。
【００６４】
反応器１のためのウエハ・キャリア７６は、従来の一つの構成部分からなる構成であるが、他の構成を有する実施形態は本願発明の範囲に含まれる。例えば、本発明のある実施形態において、反応器は、取り外し可能な上部（すなわち、大皿又はウエハを支持する表面）、及び底部を含む、２つの構成部分からなるウエハ・キャリア７６を含んでもよい。取り外し可能な上部は、多数の材料によって作ることができ、好ましくは、サファイアによって作られ、底部は、黒鉛を含んでもよく、さらに、（底部の誘導加熱、及び、取り外し可能な上部と取り外し可能な上部の表面上のウエハとの伝導加熱のため）例えばＲＦ加熱のような、加熱のための手段を含んでもよい。２つの構成部分からなるウエハ・キャリアは、必要な場合、取り外し可能な上部を取り替えることができ、一方、底部は再利用できる。
【００６５】
例えば、一の実施形態では、２つの構成部分からなるウエハ・キャリアは、ウエハを保持するためのサファイアの取り外し可能な上部と、サファイアの取り外し可能な上部を支持する黒鉛の底部と、を有する。サファイアの上部は、無孔で、例えばＳｉＣのカプセル材料のような従来使用されている表面で生ずるように、劣化しない。また、サファイアの取り外し可能な上部は、（例えば、黒鉛のウエハ・キャリアでは容易に行うことができない、急速な湿式化学エッチングのように）より厳密に清掃できる。黒鉛の底部は、サファイアの取り外し可能な上部、及び取り外し可能な上部の上面に機械加工されるウエハポケットのような取り外し可能な上部の表面上のウエハへの伝導熱伝達のための吸熱体である。
【００６６】
さらなる実施形態では、ウエハ・キャリア７６は、ウエハ・キャリア７６の底面７８の中央から下方に伸びる中心回転軸７５の一部に一体になって（すなわち直接機械加工されて）いる。中心軸７５（又は、代わりに中心回転軸７５）は、加熱コイルを通過して下方に伸び、例えば誘導加熱に適した材料のような、加熱に適した材料で構成される。この中心回転軸７５は、ちょうどウエハ・キャリア７６の主要部が加熱されるように、加熱されることができ、従来の支持スピンドル軸で生ずる伝導熱損失に対する熱障壁を提供する。
【００６７】
ウエハ・キャリア７６のための中心回転軸７５は、従来の一つの構成部分からなる構成であってもよいが、他の構成を有する形態を用いてもよい。例えば、図２１−２４に示される一の実施形態では、回転ウエハ・キャリアのためのマルチセグメント軸７５、すなわち、同じ材料又は異なる材料から作られる一つ又は複数の部分を含む軸が、用いられる。マルチセグメントの実施形態では、少なくとも一つのセグメントが、用いられている残りの軸セグメントに比べて著しく低い熱伝導率を有する。マルチセグメント軸は、特に、放射ヒータとともに用いる場合に有用であるが、本発明は、この観点に限定されるわけではない。
【００６８】
図２１−２４に示される実施形態では、３つのセグメントがある。軸上部セグメント８１は、ウエハ・キャリア７６と直接接する。軸上部セグメント８１は、ウエハ・キャリア７６の底面７８が置かれる近位端に、サセプタ又はフランジ８２を有する。放射ヒータが用いられる場合、上部セグメントは、一つ又は複数のマルチセグメントシャフト７５の残りのセグメントより低い熱伝導率を有する、（例えばアルミナ又はサファイアのような）材料によって好ましくは形成される。このような材料の選択によって、可能な限り高い熱伝達抵抗を作り出す。マルチセグメント中心軸７５とウエハ・キャリア７６との間のセグメント接続部は、より熱伝達抵抗を高めるために、表面がごく小さくなるようにデザインできる。これらの特徴は、反応器の運転におけるエネルギー損失を減少させるとともに、ウエハ・キャリアの中央領域近傍における温度均一性を向上させる。
【００６９】
その他の方法として、反応器内で誘導ヒータが用いられた場合、ウエハ・キャリアと接するセグメント（軸上部セグメント８１）は、誘導加熱コイルを通過して下方に伸びる。この場合では、上部セグメント８１は、誘導加熱に適した材料によって形成される。例えば、誘導ヒータが反応器内で用いられた場合、マルチセグメント中心軸７５の上部セグメント８１は、好ましくは、黒鉛によって構成される。
【００７０】
一の実施形態では、マルチセグメント軸７５は、（例えば、サファイアのような）すぐに誘導的に熱くならない材料によって構成された軸下部セグメント８５を有する。軸上部セグメント８１及び軸下部セグメント８５は、好ましくはアルミナによって構成されたスペーサ８６によって接続している。３つ（又はそれ以上の）セグメントの間の接続部は、好ましくは、ごく小さな表面接触面積を有し、可能な限り高い熱伝達抵抗を作り出す。機械加工された溝８７を、セグメントにおける（図２４で示される）接続部分の先に設け、セグメントの端部の周囲に細いレール９６を形成することによって、表面積が減少できる。セグメントの間の接触は、セグメントの端部の全面積に対し、細いレール９６だけで生じる。セグメントは、好ましくは、穴付き頭部押さえねじ９７によって、固定される。
【００７１】
当業者にとっては明らかな開示された発明のさまざまな変更、調整、及び応用があり、本出願は、このような形態を含むことを意図する。従って、本発明は、好ましい実施形態に関連して説明されたが、特許請求の範囲を参照してそれらの全範囲が判断されることを意図している。
【図１】
2011500961.tif 000003
【図２】
2011500961.tif 000004
【図３】
2011500961.tif 000005
【図４】
2011500961.tif 000006
【図５】
2011500961.tif 000007
【図６】
2011500961.tif 000008
【図７】
2011500961.tif 000009
【図８】
2011500961.tif 000010
【図９ａ】
2011500961.tif 000011
【図９ｂ】
2011500961.tif 000012
【図９ｃ】
2011500961.tif 000013
【図１０】
2011500961.tif 000014
【図１１】
2011500961.tif 000015
【図１２】
2011500961.tif 000016
【図１３】
2011500961.tif 000017
【図１４】
2011500961.tif 000018
【図１５】
2011500961.tif 000019
【図１６ａ】
2011500961.tif 000020
【図１６ｂ】
2011500961.tif 000021
【図１７ａ】
2011500961.tif 000022
【図１７ｂ】
2011500961.tif 000023
【図１８】
2011500961.tif 000024
【図１９】
2011500961.tif 000025
【図２０】
2011500961.tif 000026
【図２１ａ】
2011500961.tif 000027
【図２１ｂ】
2011500961.tif 000028
【図２２】
2011500961.tif 000029
【図２３】
2011500961.tif 000030
【図２４】
2011500961.tif 000031
【図２５ａ】
2011500961.tif 000032
【図２５ｂ】
2011500961.tif 000033
【図２５ｃ】
2011500961.tif 000034
【国際調査報告】
2011500961.tif 000035
2011500961.tif 000036
2011500961.tif 000037
2011500961.tif 000038